(57)【要約】  デジタル通信システム受信器で使用するためのキャリア回復及び等価アーキテクチャは、イコライザ（１１０）を有するキャリアトラッキングループ（１００）を含むことができる。イコライザは、キャリアトラッキングループの外（図３）及びその中（図２）に選択的に配置できる。イコライザは、キャリアトラッキングループの収束の程度に応じて配置することができる。
2007537659.tif 000002
【特許請求の範囲】
【請求項１】
受信器であって、
キャリアトラッキングループと、
イコライザと、を有し、
前記イコライザは前記キャリアトラッキングループの収束の程度に応じて、前記トラッキングループの外の位置、または前記トラッキングループの中の位置に選択的に位置づけ可能であることを特徴とする受信器。
【請求項２】
請求項１に記載の受信器であって、
前記収束の程度は、前記キャリアトラッキングループが真の残留オフセット値にほぼ収束した時に満たされることを特徴とする受信器。
【請求項３】
請求項１に記載の受信器であって、
前記イコライザは、前記キャリアトラッキングループの外に位置付けられている時にブラインドモードで操作し、前記キャリアトラッキングループの中に位置付けられている時に決定指向モードに切り換えられることを特徴とする受信器。
【請求項４】
請求項１に記載の受信器であって、
前記キャリアトラッキングループは、さらに、
受信シンボルをデローテートするように構成されたデローテータと、
前記デローテートされた受信シンボル中のエラーを訂正するように構成されたスライサと、
前記スライサのシンボル出力を前記デローテートされた受信シンボルと比較してエラー信号を決定するように構成されたエラー検出器と、
前記エラー信号を処理するループフィルタと、
前記ループフィルタの出力により駆動され、前記受信シンボルのデローテートに使用する信号を前記デローテータに供給する数値制御オシレータと、を有することを特徴とする受信器。
【請求項５】
請求項４に記載の受信器であって、
前記イコライザは、前記キャリアトラッキングループの外に配置されている時は前記デローテータの前に配置され、前記キャリアトラッキングループの中に配置されている時は前記デローテータと前記スライサの間に配置されることを特徴とする受信器。
【請求項６】
請求項１に記載の受信器であって、
前記イコライザは、最初、前記キャリアトラッキングループの外に配置され、ブラインドモードで機能することを特徴とする受信器。
【請求項７】
請求項６に記載の受信器であって、
前記イコライザは、入来シンボルに適応して、それに応答して適応を中止することを特徴とする受信器。
【請求項８】
請求項７に記載の受信器であって、
前記イコライザが適応を中止した後、前記キャリアトラッキングループは真の残留オフセット値にほぼ収束し、適応を中止することを特徴とする受信器。
【請求項９】
請求項８に記載の受信器であって、
前記イコライザは、前記キャリアトラッキングループの中に配置され、決定指向モードで機能しながらさらなる適応を開始することを特徴とする受信器。
【請求項１０】
請求項９に記載の受信器であって、
前記キャリアトラッキングループは、前記イコライザが前記キャリアトラッキングループの中に配置された後、適応を再開することを特徴とする受信器。
【請求項１１】
請求項１０に記載の受信器であって、
前記イコライザは、一時的に再度ブラインドモードで機能するように切り換えられ、次に出力信号を供給する前に決定指向モードで機能するように切り換えられることを特徴とする受信器。
【請求項１２】
受信器であって、
受信信号を受信するイコライザと、
前記受信信号のキャリアをトラッキングするキャリアトラッキングループと、を有し、
前記キャリアトラッキングループに対する前記イコライザの位置は調節可能であることを特徴とする受信器。
【請求項１３】
受信器において使用する方法であって、
イコライザをキャリアトラッキングループの入力に配置する段階と、
前記キャリアトラッキングループを適応させる段階と、
前記キャリアトラッキングループが真の残留オフセット値にほぼ収束した時、前記イコライザを前記キャリアトラッキングループの中に位置付ける段階と、
前記イコライザの動作モードを決定指向モードに切り換える段階と、を有することを特徴とする方法。
【請求項１４】
請求項１３に記載の方法であって、
前記イコライザをブラインドモードで機能するように設定する段階と、
前記イコライザが十分適応した時、ブラインドモードでの前記イコライザの適応を中断する段階と、を有し、
前記キャリアトラッキングループを適応する段階は、前記イコライザの適応の中断後に実行されることを特徴とする方法。
【請求項１５】
請求項１３に記載の方法であって、
前記キャリアトラッキングループの適応は前記イコライザを前記キャリアトラッキングループの中に位置付ける段階中に中断されることを特徴とする方法。
【請求項１６】
請求項１５に記載の方法であって、さらに、
前記イコライザの動作とキャリアトラッキングループの適応を再開する段階を有することを特徴とする方法。
【請求項１７】
請求項１３に記載の方法であって、
前記イコライザを前記キャリアトラッキングループの中に位置付けた後、前記イコライザを決定指向モードで機能するように切り換える前に、ある時間だけ前記イコライザをブラインドモードで動作させる段階を有することを特徴とする方法。
【請求項１８】
請求項１３に記載の方法であって、
前記イコライザは、前記キャリアトラッキングループの中に位置付けられている時、デローテータとスライサとの間に位置付けられることを特徴とする方法。
【請求項１９】
受信器において使用する方法であって、
前記方法は、
適応イコライザをキャリアトラッキングループの外に位置付ける段階と、
前記適応イコライザが前記キャリアトラッキングループの外にある時はブラインドモードでシンボルを処理する段階と、
前記キャリアトラッキングループが真の残留オフセット値にほぼ収束した時、前記適応イコライザを前記キャリアトラッキングループの中に位置付ける段階と、
前記適応イコライザが前記キャリアトラッキングループの中にある時は決定指向モードを用いてシンボルを処理する段階と、を有することを特徴とする方法。
【発明の詳細な説明】
【発明の背景】
【０００１】
本発明は、デジタル通信システムに関し、特に通信システムレシーバで使用するキャリア回復及び等価アーキテクチャに関する。
シンボルとしてデジタル情報を搬送する変調信号からデータを回復するには、レシーバ側で３つの機能が必要となる：すなわち、シンボル同期のためのタイミング回復と、キャリア回復（周波数のベースバンドへの復調）、及びチャネル等価である。タイミング回復は、レシーバクロック（タイムベース）を送信機クロックに同期させるプロセスである。これにより、受信信号を時間的に最適な点でサンプリングして、受信シンボル値の決定指向（ｄｅｃｉｓｉｏｎ−ｄｉｒｅｃｔｅｄ）処理に伴うスライスエラーを低減することができる。キャリア回復は、受信無線周波数（ＲＦ）信号を、より低い中間周波数（ＩＦ）パスバンドに周波数を低減する変換をした後に、ベースバンドに周波数をシフトして、変調しているベースバンド情報を回復するプロセスである。適応チャネル等価は、信号伝送チャネル中の状態変化と妨害の効果を補正するプロセスである。このプロセスは、一般的にはフィルタを利用し、そのフィルタは伝送チャネルの周波数に依存して時間的にも変化する特性により生じる振幅及び位相の歪みを除去する。
多数のデジタルデータ通信システムは適応等価を利用して、信号伝送チャネル上のチャネル状態の変化と妨害の効果を補償する。  等価により、伝送チャネルのローパスフィルタ効果を含む伝送チャネル妨害により生じるベースバンドシンボル間干渉（ｂａｓｅｂａｎｄ  ｉｎｔｅｒｓｙｍｂｏｌ  ｉｎｔｅｒｅｆｅｒｅｎｃｅ  （ＩＳＩ））が除去される。ＩＳＩによりシンボルの値がその前後のシンボルの値により歪められるが、これはシンボル「ゴースト」を表している。
適応イコライザは本来適応フィルタである。適応イコライザを使用するシステムでは、チャネル歪みを適切に補償するようにフィルタ応答を適応させる方法を提供することが必要である。フィルタ係数を適応させてフィルタ応答を変更するアルゴリズムが利用可能である。広く使用されている方法の１つは、最小二乗平均（Ｌｅａｓｔ  Ｍｅａｎ  Ｓｑｕａｒｅｓ  （ＬＭＳ））アルゴリズムを利用するもので、このアルゴリズムはエラー信号の関数としてフィルタ係数値を変化させる。エラー信号は、基準データシーケンスからイコライザ出力信号を引くことにより求める。エラー信号がゼロに近づくにつれ、イコライザは収束する。
イコライザの動作開始時には、そのフィルタ係数値（フィルタタップウェイト）はチャネル歪みを適切に補償する値に設定されていないことが普通である。フィルタ係数を最初に収束させるため、既知の「トレーニング」信号を基準信号として使用する。トレーニング信号をレシーバに送信する。エラー信号はレシーバにおいて適応イコライザの出力からトレーニング信号のコピーをローカルで生成して引くことにより求められる。適応イコライザの出力は受信トレーニング信号を表す。既知の信号を使用するので最初は塞がっていた「目」を開けることができることは、本発明の技術分野で知られている。
トレーニング信号での適応後、「目」が大きく開かれ、データを表すシンボルを受信するためにイコライザを決定指向動作モードに切り換える。このモードでは、フィルタタップウェイトの最終的な収束の達成は、トレーニング信号を使用するのではなく、フィルタ係数を適応させるためのイコライザ出力のデータシンボルの実際値を用いて行われる。決定指向等価モードでは、トレーニング信号を使用する方法よりも速く、時間可変チャネル歪みを追跡してキャンセルすることができる。決定指向等価による収束を信頼できるものにして係数値を安定させるためには、約９０％の決定が正しくなければならない。フィルタ係数を最初に適応させるためトレーニング信号を使用するので、イコライザは決定レベルをこのように９０％正しくすることができる。
しかし、実際にはトレーニング信号が常に利用可能なわけではない。かかる場合、「ブラインド（ｂｌｉｎｄ）」等価を頻繁に使用して、イコライザ係数値を最初に収束させて、目をさまさせる。ブラインド等価は徹底的に研究され、例えば直交位相振幅変調（ＱＡＭ）システムで使用されている。最もよく使用されているブラインド等価アルゴリズムとして、ＣＭＡ（Ｃｏｎｓｔａｎｔ  Ｍｏｄｕｌｕｓ  Ａｌｇｏｒｉｔｈｍ）とＲＣＡ（Ｒｅｄｕｃｅｄ  Ｃｏｎｓｔｅｌｌａｔｉｏｎ  Ａｌｇｏｒｉｔｈｍ）がある。これらのアルゴリズムは、例えばＰｒｏａｋｉｓ著「Ｄｉｇｉｔａｌ  Ｃｏｍｍｕｎｉｃａｔｉｏｎｓ」（ＭｃＧｒａｗ−Ｈｉｌｌ：  Ｎｅｗ  Ｙｏｒｋ，  １９８９）及びＧｏｄａｒｄ著「Ｓｅｌｆ−Ｒｅｃｏｖｅｒｉｎｇ  Ｅｑｕａｌｉｚａｔｉｏｎ  ａｎｄ  Ｃａｒｒｉｅｒ  Ｔｒａｃｋｉｎｇ  ｉｎ  Ｔｗｏ  Ｄｉｍｅｎｓｉｏｎａｌ  Ｄａｔａ  Ｃｏｍｍｕｎｉｃａｔｉｏｎ  Ｓｙｓｔｅｍｓ」（ＩＥＥＥ  Ｔｒａｎｓａｃｔｉｏｎｓ  ｏｎ  Ｃｏｍｍｕｎｉｃａｔｉｏｎｓ，  Ｎｏｖｅｍｂｅｒ  １９８０）において説明されている。
概略的に、ＣＭＡは、検出データシンボルの絶対値（ｍｏｄｕｌｕｓ）が直径の異なるいくつかの（コンステレーション）円の１つを画成する点の軌跡上にあるということによるものである。ＲＣＡは、主伝送コンステレーション内に「スーパーコンステレーション」を形成することによる。データ信号は最初にスーパーコンステレーションにフィットさせられる。次に、スーパーコンステレーションを分割しコンステレーション全体を含める。
一般的に、デジタル通信システムレシーバ内では、等価とキャリア回復は単一のループ内で絡み合っている。両者が同一ループ内に含まれている理由は、最適な受信のため、イコライザに入力されるコンステレーションは、残留キャリア周波数オフセットを除去した後、回転していない必要があるからである。これは、決定指向等価については特に言える。キャリアエラー検出器は、一般的に決定指向であるが、等価された信号の方がより効率的かつ正確に機能する。
しかし、このアーキテクチャには本来的な欠点があり、その欠点は、イコライザのフィードフォワード（非因果的）セクションによりキャリアトラッキングループ（ＣＴＬ）に導入されるマルチシンボル遅延が過剰なために起こるものである。この過剰遅延は、最大許容ループ利得を限定し、キャリア捕捉範囲を限定することが知られている。一般的な解決策としては、ループ利得を十分に低くして安定性を保証することである。このアプローチにより、所望の捕捉範囲を「通る」（ｓｔｅｐｐｉｎｇ  ｔｈｒｏｕｇｈ）が、ＣＴＬに各ステップで十分な時間を持たせることにより、捕捉範囲が限定されることを回避することもできる。
イコライザによりＣＴＬに生じたマルチシンボル遅延を低減し、一方、ＣＴＬ内にイコライザを含めることに伴う利点を生かすことも、有益であろう。
【発明の開示】
【発明が解決しようとする課題】
【０００２】
受信器内で使用するためのキャリア回復及び等価方法及びシステムを提供する。本発明の原理によると、受信器は、キャリアトラッキングループ（ＣＴＬ）と、該ＣＴＬの外または中のいずれかに選択的に設定されるイコライザとを有する。イコライザは、キャリアトラッキングループの収束の程度に応じて位置付けることができる。収束の程度は、ＣＴＬが真の残留オフセット値にほぼ収束した時に満たされる。特に、イコライザは、ＣＴＬの外に配置されている時はブラインドモードで動作し、ＣＴＬの中に配置されている時は決定指向モードに切り換えられる。
【課題を解決するための手段】
【０００３】
一実施形態で、ＣＴＬは、受信シンボルをデローテートするように構成されたでローテータと、受信シンボル中のエラーを訂正するように構成されたスライサと、を有する。また、ＣＴＬは、前記スライサのシンボル出力を前記受信シンボルと比較してエラー信号を決定するように構成されたエラー検出器と、前記エラー信号を処理するループフィルタと、数値制御オシレータと、を含む。数値制御オシレータは、前記ループフィルタの出力により駆動され、前記受信シンボルのデローテートに使用する信号を前記デローテータに供給することができる。
【０００４】
イコライザは、ＣＴＬの外に配置された時、特に信号経路に関して、デローテータの前に配置される。また、イコライザは、ＣＴＬの中に配置された時、デローテータとスライサの間に配置される。前記イコライザは、入来シンボルに適応して、それに応答して適応を中止する。
【０００５】
以下、添付図面を参照して、本発明の好ましい実施形態をより詳細に説明する。
【発明の詳細な説明】
【０００６】
本発明のコンセプト以外には、図示した要素は周知であり、詳細には説明しない。例えば、本発明のコンセプトを除き、セットトップボックス、デジタルテレビジョン（ＤＴＶ）、これらの構成要素、例えばフロントエンド、ヒルベルトフィルタ、キャリアトラッキングループ、ビデオプロセッサ、リモコン等は周知であり、ここで詳細には説明しない。また、本発明のコンセプトは従来のプログラミング方法を用いて実施してもよいが、その従来のプログラミング方法はここでは説明しない。最後に、図面の同じ数字は同様の要素を表す。
【０００７】
本発明は、可変アーキテクチャを有するキャリアトラッキングループ（ＣＴＬ）設定を提供するものである。これを受信器１０の場合について図１に示した。受信器１０はフロントエンド部５０と設定可能イコライザ／ＣＴＬ１００とを有する。フロントエンド部５０は、受信信号４９を処理して、ニア（ｎｅａｒ）ベースバンド信号１０１を設定可能イコライザ／ＣＴＬ１００に供給する。その設定可能イコライザ／ＣＴＬ１００はニアベースバンド信号１０１をさらに処理して、受信器１０の他の要素（図示せず）が処理する復調信号１０２を供給する。ここに開示する本発明の構成によると、イコライザ／ＣＴＬ１００のアーキテクチャは動的であり、捕捉を速くしてキャリア捕捉範囲を広くするように変更することができる。イコライザ／ＣＴＬ１００アーキテクチャは、イコライザＣＴＬロック検出器から来る信号に基づき、異なる動作モードに切り換えることができる。イコライザの動作モードに応じて、異なるループアーキテクチャを使用する。ここに開示する本発明の構成は、ハードウェアの複雑性を目に見えるほど大きくせずに、受信器の動作を改良することができる。以下の説明を簡単にするために、イコライザ／ＣＴＬ１００はＣＴＬ１００と呼ぶ。
【０００８】
図２は、本発明の他の態様による、可変アーキテクチャを有するＣＴＬ１００の例を示すブロック図である。ＣＴＬ１００は、予め復調された、または周波数をダウンコンバートしたデジタル信号１０１を受信する。ＨＤＴＶ信号等の変調されたアナログ信号は、アンテナで受信され、入力ネットワーク（図示せず）で処理される。受信信号は、直交振幅変調（例えば、既知の１６または３２−ＱＡＭ）、またはＱＰＳＫやＶＳＢ等の他のＰＡＭ変調がされている。ＱＡＭはパルス振幅変調（ＰＡＭ）信号であり、デジタル情報が直交実軸及び虚軸により画成される２次元のグリッド上のシンボルコンステレーションにより表される。ＶＳＢ信号は、例えば米国のＧｒａｎｄ  Ａｌｌｉａｎｃｅ  ＨＤＴＶシステムにより使用が提案されているように、１次元のデータシンボルコンステレーションにより表される。これでは、１つの軸のみが受信器により回復されるべき量子化データを含んでいる。受信信号からタイミング及びクロック信号を求めるための、例示した機能ブロックや（図示した）タイミング回復ネットワークにクロックを与える信号は省略した。
【０００９】
予め復調してあるので、信号はベースバンドに近く、後の回路は中間周波数（ＩＦ）信号で動作しなくてもよい。この目的のために使用されるローカルに生成されたキャリア周波数は、送信機のキャリア周波数と正確に一致しないかも知れず、この復調の結果位相エラーが生じる。この位相エラーはＣＴＬ１００を含めた復調プロセスで補正される。
【００１０】
ＣＴＬ１００は、デローテータ１０５、イコライザ１１０、スライサ１１５、エラー検出器１２０、ループフィルタ１２５、数値制御オシレータ（ＮＣＯ）１３０を有する。デローテータ１０５は、既知のように、入来信号から残留キャリア周波数を除去して、信号をベースバンドに効果的にデローテートする。デローテータ１０５は、複素乗算器であり、入来信号にＮＣＯ１３０により生成された差分またはエラー正弦波信号をかける。
イコライザ１１０は、適応イコライザであり、ブラインドモードと決定指向モードの間を切り換えることができる。知られているように、イコライザ１１０は、伝送チャネル妨害により起こるベースバンドシンボル間干渉（ＩＳＩ）を除去する。一実施形態では、図示したように、イコライザ１１０がＣＴＬ１００の中に配置される。すなわち、イコライザ１１０がデローテータ１０５とスライサ１１５の間に配置される。
【００１１】
スライサ１１５は、決定指向構成要素として実施され、受信シンボルを処理して、送信されたシンボルが何であると思われるか決定を下す。スライサ１１５は、受信サンプルを最寄りのコンステレーションポイントに量子化することにより、決定を下す。量子化されたシンボルを実際に送信されたシンボルの予測として使用する。各受信シンボルについて、スライサ１１５は、その決定（量子化シンボル）として、入力シンボルサンプルにユークリッド距離が最も近いコンステレーションポイントを、ルックアップテーブルから選択する。
【００１２】
エラー検出器１２０は、イコライザ１１０とスライサ１１５から入力を受け取る。一般に、エラー検出器１２０はエラー信号を生成する。そのエラー信号は、イコライザ１１０のシンボル出力とスライサ１１５のシンボル出力の間の位相差を表す。ループフィルタ１２５は、エラー検出器１２０からのエラー信号を処理して、ＮＣＯ１３０に高品質信号を提供する。エラー検出器１２０により生成されるエラー信号は、エラー項とノイズ項を含む。例えば、ノイズ項は高周波数成分を含む。ループフィルタ１２５は、エラー信号を処理して、有用なエラー信号を生成する一方、ノイズの効果を抑圧する。
【００１３】
ＮＣＯ１３０は、一定のタイムベースから周波数範囲を合成する電子システムである。ＮＣＯ１３０は、位相カウンタをサンプル毎の増分だけインクリメントするデジタル波形ジェネレータを含む。この位相を波形テーブルでルックアップして正弦波を生成することができる。しかし、ＮＣＯ１３０は位相及び周波数に敏感である。従って、ＮＣＯ１３０を変更して、位相変調または周波数変調された出力、または直交出力を生成することができる。
【００１４】
図３は、図２のＣＴＬ１００を示すブロック図例であり、ここで、アーキテクチャが本発明の原理に従って動的に変更されている。図３に示したように、イコライザ１１０は、実質的にＣＴＬ動作の外に置かれている。イコライザ１１０は、デローテータ１０５とスライサ１１５の間にはなく、ＣＴＬ１００への入力として機能している。イコライザ１１０は依然としてＣＴＬ１００の一部と考えることはできるが、ＣＴＬ１００の外側に再配置されている。
【００１５】
前述のように、予め復調されデジタル化された信号が、デローテータ１０５に入力される前に、イコライザに入力される。ＣＴＬ１００のアーキテクチャを図２と３のように切り換えることにより、ＣＴＬ１００による遅延をさらに低減して、ＣＴＬ１００のプルインレンジ（ｐｕｌｌ  ｉｎ  ｒａｎｇｅ）を広くする。
【００１６】
一実施形態では、ＣＴＬ１００は、１つ以上の離散コンポーネントを用いたハードウェア、集積回路、または特定目的回路として実施することもできる。イコライザ１１０の位置は、１つ以上のマルチプレクサを用いて効果的に変更することができる。すなわち、信号経路に対するイコライザ１１０の位置は、マルチプレクサを用いて変更することができる。これを、マルチプレクサ１５０、１５５、１６０及び１６５により、図４に示した。信号１５１によりマルチプレクサを制御して、信号を選択的にイコライザ１１０にルーティングする。
【００１７】
他の実施形態では、ＣＴＬ１００をソフトウェアで実施することができる。例えば、プログラムコードのモジュールを用いて、図２と３を参照して説明した構成要素の各々を実施する。その場合、信号経路をソフトウェア制御により変更して、図示したようにイコライザ１１０をＣＴＬ１００の外側と内側に選択的に配置することができる。
【００１８】
図５は、選択的配置可能イコライザを有するＣＴＬアーキテクチャを使用する、キャリア回復及び等価方法３００を示すフローチャート例である。方法３００は、ＣＴＬが受け取った信号の残留キャリアオフセットが未知である状態で始まる。さらに、信号は等価されていない。ステップ３０５において、イコライザは、主経路遅延に対応する単一の非ゼロタップで初期化される。さらに、ＣＴＬ積分器、すなわちＮＣＯを０またはその他のアプリオリに知られた最適値に初期化する。
【００１９】
ステップ３１０において、ＣＴＬのアーキテクチャを初期化する、すなわち図３に示したものに切り換える。より具体的に、イコライザの位置をＣＴＬの入力に設定または配置して、イコライザの出力がデローテータに入力されるようにする。この位置では、イコライザはＣＴＬの外側に位置していると言うことができる。ステップ３１５において、イコライザをブラインドモードで動作するように切り換える。これにより、イコライザは回転する複雑なコンステレーションを処理することができる。特に、シンボルタイミング回復ループはロックされ、ＣＴＬとその他のシステム構成要素に必要に応じて有効なデータを送るものと仮定する。この点で、積分器は「０」に設定されていてもよい。図３に示したように、下流の構成要素への信号経路を「×」で示したが、これは信号が必要とされる品質をまだ備えていないからである。そうであるから、この段階では信号は出力されない。
【００２０】
イコライザは機能を開始し、ブラインドモードに適応してイコライザ係数が収束を開始する。イコライザが適応を続けている間、ＣＴＬは休止（ｉｎａｃｔｉｖｅ）状態であってもよい。すなわち、ＣＴＬは適応していない。ステップ３２０において、イコライザが十分適応したか決定する。方法３００は、イコライザが適切に適応するまで、図示したようにループを継続する。既知の方法をどれでも使用して、イコライザが十分に適応したか判断することができる。例えば、ある時間にわたって、信号空間の所定部分内に入る等価された受信シンボルの数をカウントする。このカウントが所定数を超えた時、イコライザが十分適応したと判断することができる。ステップ３２５において、一旦適応して、目が十分に開いて、スライサが平均して正しいスライス決定をできるようになれば、イコライザのさらなる適応を停止することができる。
【００２１】
ステップ３３０において、ＣＴＬ動作を開始し適応を始める。積分器はもはや一定値に保持しない。ＣＴＬが機能または適応している間、イコライザはサスペンド状態に留まり、イコライザのさらなる適応から生じる信号変化に、ＣＴＬが適応しなければならなくなることを防止する。チャネルは準静的であり、ＣＴＬが収束している間は目に見えて変化しないと仮定することができる。これは、ケーブル受信器に関する本発明のコンセプトの適用についてあてはまる。特に、イコライザがＣＴＬの外側に位置している時、ＣＴＬによる遅延は低減され、プルインレンジが広くなる。
【００２２】
ステップ３３５において、ＣＴＬが真の残留オフセット値にほぼ収束したか判断する。これは、デローテータのコンステレーション出力が実質的に静的であるときに起こる。ＣＴＬが収束するときまで、ループは続く。その時点で、ステップ３４０に進む。ステップ３４０において、ＣＴＬ適応を中止する。すなわち、積分器の値を凍結する。ステップ３４５において、ＣＴＬアーキテクチャを図２に示したアーキテクチャに切り換える。換言すると、ＣＴＬのアーキテクチャを動的に変更して、イコライザがデローテータとスライサの間に有効に配置されるようにする。ステップ３５０において、イコライザを解放して、決定指向モードで操作させる。デローテータからのコンステレーション出力が相対的に静的である場合もある。
【００２３】
ステップ３５５において、ＣＴＬ積分器を解放してＣＴＬが再び適応を続けるようにする。この時点で、ＣＴＬとイコライザの両方が機能し、適応を続け、ステップ３７０において、出力信号が供給される。
【００２４】
図５に示したフローチャートの他に、本発明の原理による他のバリエーションが可能である。かかるバリエーションの１つを図６に示した。図６のフローチャート４００は、図５のフローチャートと似ているが、ステップ３６０と３６５が加わっている点で異なる。図５のステップ３５０がステップ３６０に置き換えられている。ステップ３６０において、イコライザをブラインドモードで動作するように切り換える。これにより、イコライザは、図３のアーキテクチャから図２のアーキテクチャへのアーキテクチャの切り替えにより生じる不連続性をなめらかにすることができる。イコライザが十分適応している時（図６には示していないが、これは（上で説明した）ステップ３２０と同様である）、イコライザは再び切り換えられてステップ３６５において決定指向モードで動作する。
【００２５】
本発明は、ハードウェア、ソフトウェア、またはこれらの組み合わせで実現することができる。本発明の態様をコンピュータプログラム製品として化体することもできる。このコンピュータプログラム製品は、ここで説明した方法の実施を可能とするすべての特徴を有し、コンピュータシステムにロードされた時、これらの方法を実行することができる。本発明の場合にコンピュータプログラムまたはアプリケーションとは、情報処理能力を有するシステムに直接、またはａ）他の言語、コード、または記法への変換、またはｂ）異なる素材形式での再生のいずれか、または両方の後に、特定の機能を実行させることを目的とする一組の命令のいかなる言語、コード、または記法のいかなる表現も含む。
【００２６】
本発明は、その精神と本質的な属性から逸脱することなく、他の形式で化体することもできる。従って、本発明の範囲を示すものとして、明細書ではなく、特許請求の範囲を参照すべきである。
【図面の簡単な説明】
【００２７】
【図１】本発明の原理による受信器のブロック図である。
【図２】本発明の一態様による、可変アーキテクチャを有するキャリアトラッキングループ（ＣＴＬ）の例を示すブロック図である。
【図３】本発明の他の態様による、可変アーキテクチャを有するＣＴＬの例を示すブロック図である。
【図４】本発明の原理によるＣＴＬの例を示す他のブロック図である。
【図５】選択的配置可能イコライザを有するＣＴＬアーキテクチャを使用する、キャリア回復及び等価方法を示すフローチャート例である。
【図６】本発明の原理による他のフローチャート例を示す図である。
【図１】
2007537659.tif 000003
【図２】
2007537659.tif 000004
【図３】
2007537659.tif 000005
【図４】
2007537659.tif 000006
【図５】
2007537659.tif 000007
【図６】
2007537659.tif 000008
【国際調査報告】
2007537659.tif 000009
2007537659.tif 000010
2007537659.tif 000011